(57)【要約】【課題】環状の周面を有する成形体において、その周面に沿って美麗な凹凸模様が形成された凹凸模様付加飾成形体およびその製法を提供する。【解決手段】回転中心軸Ｐを中心として環状に延びる周面２ａを有する成形体３を備え、少なくとも上記成形体３の周面２ａに、周面２ａに沿って連続的もしくは断続的に凹凸模様Ｔ、Ｕが形成された凹凸模様付加飾成形体である。そして、上記周面２ａを周方向にｎ分割した各所定領域における凹凸模様Ｔ、Ｕの凹部が、それぞれの所定領域を回転中心軸Ｐに対し真上に位置決めした状態において垂直下向きに形成されている。【選択図】図１
2018102775.tif 000002
【特許請求の範囲】
【請求項１】
回転中心軸Ｐを有しその回転中心軸Ｐを中心として環状に延びる周面を有する成形体を備え、少なくとも上記成形体の周面に、周面の周方向に沿って連続的もしくは断続的に形成された凹部と、凹部が形成されていない部分とで構成された凹凸模様が設けられており、
上記周面を周方向にｎ分割した各所定領域における凹凸模様の凹部が、それぞれの所定領域を回転中心軸Ｐに対し真上に位置決めした状態において垂直下向きに形成されていることを特徴とする凹凸模様付加飾成形体。
【請求項２】
回転中心軸Ｐを有しその回転中心軸Ｐを中心として環状に延びる周面を有する成形体を備え、少なくとも上記成形体の周面に、周面の周方向に沿って連続的もしくは断続的に形成された凹部と、凹部が形成されていない部分とで構成された凹凸模様が設けられており、
上記凹凸模様の凹部が、全て回転中心軸Ｐに向かって形成されていることを特徴とする凹凸模様付加飾成形体。
【請求項３】
上記成形体の、凹凸模様が形成された周面に、金属薄膜層が形成されており、上記凹凸模様の少なくとも一部と重なる配置で、上記金属薄膜層の一部が部分的に除去されて切欠き模様が形成されている請求項１または２記載の凹凸模様付加飾成形体。
【請求項４】
回転中心軸Ｐを有しその回転中心軸Ｐを中心として環状に延びる周面を有する成形体を準備する工程と、上記成形体の周面にレーザ照射を行い、その周面の表面部を部分的に除去して凹部を形成し、その凹部と、凹部が形成されていない部分とで凹凸模様を得る工程とを備えた凹凸模様付加飾成形体の製法であって、
上記凹凸模様を得る工程において、上記成形体を、その回転中心軸Ｐを中心として回転自在に支受し、上記成形体の周面を、周方向にｎ分割し、その分割された一つの所定領域に対し垂直方向にレーザ照射を行って凹部を形成する動作と、成形体を回動させて分割された所定領域を順次、レーザ照射を受ける位置に位置決めする動作とを交互に行うようにしたことを特徴とする凹凸模様付加飾成形体の製法。
【請求項５】
回転中心軸Ｐを有しその回転中心軸Ｐを中心として環状に延びる周面を有する成形体を準備する工程と、上記成形体の周面にレーザ照射を行い、その周面の表面部を部分的に除去して凹部を形成し、その凹部と、凹部が形成されていない部分とで凹凸模様を得る工程とを備えた凹凸模様付加飾成形体の製法であって、
上記凹凸模様を得る工程において、上記成形体を、その回転中心軸Ｐを中心として回転自在に支受し、上記成形体を周方向に連続的に回動させながらレーザ照射を行って凹部を形成するようにしたことを特徴とする凹凸模様付加飾成形体の製法。
【請求項６】
上記凹凸模様が形成された成形体の周面に、金属薄膜層を形成する工程と、上記金属薄膜層の一部を、上記凹凸模様の少なくとも一部と重なる配置で部分的に除去することにより、切欠き模様を形成する工程とを備えた請求項４または５記載の凹凸模様付加飾成形体の製法。
【請求項７】
上記切欠き模様を形成する工程において、金属薄膜層が形成された成形体を、その回転中心軸Ｐを中心として回転自在に支受し、上記金属薄膜層が形成された成形体の周面を、周方向に連続的もしくは所定角度ずつ断続的に回動させながら、成形体の周面における金属薄膜層の除去予定部にレーザ照射を行う際、成形体への凹凸模様形成時のレーザ照射データを利用して、切欠き模様を形成するようにした請求項６記載の凹凸模様付加飾成形体の製法。
【発明の詳細な説明】
【技術分野】
【０００１】
本発明は、環状に設けられた周面に凹凸模様が付与された凹凸模様付加飾成形体およびその製法に関するものである。
【背景技術】
【０００２】
化粧料を収容したコンパクト容器や口紅容器等には、単に機能性だけでなく、見栄えがよい、商品イメージを反映したデザインである、といった意匠性も要求される。このような要求に応えるために、例えば、コンパクト容器の蓋部に、アルミニウム蒸着等によって金属薄膜層を形成して金属光沢を与えたものや、複雑な色模様が印刷された転写シートを貼着したもの等、様々な技術を駆使して、容器外観のアイキャッチ効果を高めたものが提案されている。
【０００３】
また、最近は、より複雑な模様を付与するために、上記金属薄膜層や転写シートの一部をレーザ照射によって除去し、その除去部から容器の地の部分や地の部分の上に形成された着色層を露出させて文字や図柄模様を形成することが行われている（例えば、特許文献１を参照）。さらに、成形体の表面に予め凹凸模様を形成し、その上に金属薄膜層等の被覆層を形成した後、その凹凸模様の凹凸に合わせて、レーザ照射により被覆層を部分的に除去して、より印象的な凹凸模様を得ることが提案されている（例えば、特許文献２を参照）。
【先行技術文献】
【特許文献】
【０００４】
【特許文献１】特開２００７−２１６４１７号公報
【特許文献２】特開２００６−３３４１２２号公報
【発明の概要】
【発明が解決しようとする課題】
【０００５】
ところで、このような表面加飾は、通常、成形体の表面が平面であるか、ごくなだらかな褶曲面であることを前提としている。すなわち、加飾しようとする対象面の反りが大きかったり凹凸面であったりすると、転写シートをきれいに貼着することができず、美麗な加飾を付与することができない。
【０００６】
そこで、転写シートを用いることなく、化粧料容器として多用されている有底円筒体や有天円筒体の成形体の周面に、鮮明な凹凸模様を形成することや、鮮明な凹凸模様に被覆層を重ね、この被覆層をレーザ照射によって部分的に除去することが検討されている。例えば図９（ａ）に示すように、円柱状の成形体５０の周面に、その中心軸に対し垂直な断面が放射状に形成された凸部５１を得ることができれば、エッジが鋭角となって輪郭の鮮明な凹凸模様を付与することができる。また、このような凹凸模様に被覆層を設けてレーザ照射によって切欠き模様を付与すれば、より興趣に富む外観を得ることができる。
【０００７】
しかしながら、図９（ａ）に示すような放射状の凸部が付いた形状を、例えば上下方向に開く金型を用いて射出成形しようとしても、凸部５１の両縁部［図９（ａ）において、斜線Ｍで示す部分］がアンダーカットとなり、そのままでは脱型できないという問題がある。このため、スライド型を組み合わせた複雑な金型が必要となり、多大なコスト負担となる。
【０００８】
また、図９（ａ）に示すような放射状の凸部がついた凹凸模様において、その表面に、鎖線で示すように、金属薄膜層のような被覆層５２を形成し、その一部をレーザ照射によって除去して切欠き模様を形成する場合、上記アンダーカットとなる部分Ｍの下側の部分は、単一方向からのレーザ照射では、被覆層５２を除去することができず、凹凸模様ときれいに重なった切欠き模様を得ることができないという問題がある。そのため、レーザ照射を、照射の方向を変えて繰り返し行うことも考えられるが、レーザ照射のための装置および入力するデータが複雑となり、実用的ではない。
【０００９】
このため、従来は、例えば図９（ｂ）に示すように、なだらかな傾斜面の凸部５１’を組み合わせた凹凸模様を、射出成形やブロー成形等によって付与したものが主流であり、鮮明な、強い印象の凹凸模様を有する成形体を、低コストで提供することのできる技術の確立が求められている。
【００１０】
本発明は、このような事情に鑑みなされたもので、環状の周面を有する成形体において、その周面に沿って鮮明で印象の強い凹凸模様が形成された凹凸模様付加飾成形体およびその製法の提供をその目的とする。
【課題を解決するための手段】
【００１１】
上記の目的を達成するため、本発明は、回転中心軸Ｐを有しその回転中心軸Ｐを中心として環状に延びる周面を有する成形体を備え、少なくとも上記成形体の周面に、周面の周方向に沿って連続的もしくは断続的に形成された凹部と、凹部が形成されていない部分とで構成された凹凸模様が設けられており、上記周面を周方向にｎ分割した各所定領域における凹凸模様の凹部が、それぞれの所定領域を回転中心軸Ｐに対し真上に位置決めした状態において垂直下向きに形成されている凹凸模様付加飾成形体を第１の要旨とする。
【００１２】
また、本発明は、回転中心軸Ｐを有しその回転中心軸Ｐを中心として環状に延びる周面を有する成形体を備え、少なくとも上記成形体の周面に、周面の周方向に沿って連続的もしくは断続的に形成された凹部と、凹部が形成されていない部分とで構成された凹凸模様が設けられており、上記凹凸模様の凹部が、全て回転中心軸Ｐに向かって形成されている凹凸模様付加飾成形体を第２の要旨とする。
【００１３】
さらに、本発明は、それらのなかでも、特に、上記成形体の、凹凸模様が形成された周面に、金属薄膜層が形成されており、上記凹凸模様の少なくとも一部と重なる配置で、上記金属薄膜層の一部が部分的に除去されて切欠き模様が形成されている凹凸模様付加飾成形体を第３の要旨とする。
【００１４】
そして、本発明は、回転中心軸Ｐを有しその回転中心軸Ｐを中心として環状に延びる周面を有する成形体を準備する工程と、上記成形体の周面にレーザ照射を行い、その周面の表面部を部分的に除去して凹部を形成し、その凹部と、凹部が形成されていない部分とで凹凸模様を得る工程とを備えた凹凸模様付加飾成形体の製法であって、上記凹凸模様を得る工程において、上記成形体を、その回転中心軸Ｐを中心として回転自在に支受し、上記成形体の周面を、周方向にｎ分割し、その分割された一つの所定領域に対し垂直方向にレーザ照射を行って凹部を形成する動作と、成形体を回動させて分割された所定領域を順次、レーザ照射を受ける位置に位置決めする動作とを交互に行うようにした凹凸模様付加飾成形体の製法を第４の要旨とする。
【００１５】
また、本発明は、回転中心軸Ｐを有しその回転中心軸Ｐを中心として環状に延びる周面を有する成形体を準備する工程と、上記成形体の周面にレーザ照射を行い、その周面の表面部を部分的に除去して凹部を形成し、その凹部と、凹部が形成されていない部分とで凹凸模様を得る工程とを備えた凹凸模様付加飾成形体の製法であって、上記凹凸模様を得る工程において、上記成形体を、その回転中心軸Ｐを中心として回転自在に支受し、上記成形体を周方向に連続的に回動させながらレーザ照射を行って凹部を形成するようにした凹凸模様付加飾成形体の製法を第５の要旨とする。
【００１６】
さらに、本発明は、それらのなかでも、特に、上記凹凸模様が形成された成形体の周面に、金属薄膜層を形成する工程と、上記金属薄膜層の一部を、上記凹凸模様の少なくとも一部と重なる配置で部分的に除去することにより、切欠き模様を形成する工程とを備えた凹凸模様付加飾成形体の製法を第６の要旨とする。
【００１７】
そして、本発明は、そのなかでも、特に、上記切欠き模様を形成する工程において、金属薄膜層が形成された成形体を、その回転中心軸Ｐを中心として回転自在に支受し、上記金属薄膜層が形成された成形体の周面を、周方向に連続的もしくは所定角度ずつ断続的に回動させながら、成形体の周面における金属薄膜層の除去予定部にレーザ照射を行う際、成形体への凹凸模様形成時のレーザ照射データを利用して、切欠き模様を形成するようにした凹凸模様付加飾成形体の製法を第７の要旨とする。
【発明の効果】
【００１８】
すなわち、本発明の凹凸模様付加飾成形体は、回転中心軸Ｐを有しその回転中心軸Ｐを中心として環状に延びる周面を有する形状の成形体において、その周面の周方向に沿って、連続的もしくは断続的に凹部が形成され、それによって凹凸模様が構成されている。そして、上記凹凸模様を構成する凹部が、凹凸模様が形成された周面を周方向にｎ分割した各所定領域において、それぞれ回転中心軸Ｐに対し特定の向きで形成されているか、全ての凹部が回転中心軸Ｐに向かって形成されている。なお、本発明において、「ｎ分割する」とは仮想的に分割することをいう。
【００１９】
この構成によれば、凹凸模様の凹部が、いずれも成形体の回転中心軸Ｐに対し特定の向きで形成されているため、凹部の開口端面と、凹部底面とがなす角度に、規則的な統一性がある。したがって、凹凸模様が、どの部分も鮮明で、非常に美麗で、強い印象を与えるものとなる。また、微細な点や線によって形成された凹部からなる繊細な絵柄や文字も、鮮明に表現されるため、従来にない、優れたアイキャッチ効果を発揮する。
【００２０】
そして、本発明のなかでも、特に、上記成形体の、凹凸模様が形成された周面に、金属薄膜層が形成されており、上記凹凸模様の少なくとも一部と重なる配置で、上記金属薄膜層の一部が部分的に除去されて切欠き模様が形成されている凹凸模様付加飾成形体は、凹凸模様が付与されている部分の少なくとも一部に切欠き模様が付与されているため、凹凸模様と切欠き模様とが相俟って、複雑な立体感が付与されており、より印象的な外観を有したものとなる。
【００２１】
また、本発明の第１の製法は、上記凹凸模様付加飾成形体を得る方法であって、上記凹凸模様を形成する工程において、成形体を、その回転中心軸Ｐを中心として回転自在に支受し、上記成形体の周面を、周方向にｎ分割し、その分割された一つの所定領域に対し垂直方向にレーザ照射を行い凹部を形成する動作と、成形体を回動させて分割された所定領域を順次、レーザ照射を受ける位置に位置決めする動作とを交互に行うようにしたものである。
【００２２】
この製法によれば、成形体の全周にわたってレーザ照射加工を行う際、加工対象となる周面を、周方向にｎ分割してその分割領域ごとにレーザ照射を行うため、１回のレーザ照射のために取り扱う加工データの量が小さくなり、短時間で、断続的に処理を行うことができる。したがって、処理品を移動させるタイミングを短くすることができ、処理効率を高めることができる。ただし、レーザ照射が断続的になるため、そのレーザ照射の開始点と終了点において凹凸模様がずれないよう注意を要する。
【００２３】
さらに、本発明の第２の製法は、同じく上記凹凸模様付加飾成形体を得る方法であって、上記凹凸模様を得る工程において、成形体を、その回転中心軸Ｐを中心として回転自在に支受し、成形体を周方向に連続的に回動させながらレーザ照射を行い切欠き開口を形成するようにしたものである。
【００２４】
この製法によれば、成形体の全周にわたってレーザ照射加工を行う際、加工対象となる周面を、連続的に回動させながらレーザ照射を行うため、上記第１の製法のように、加工が途切れた境界部における凹凸模様のずれを気にする必要がなく、周面のどの部分についても美麗な仕上がりとなる。ただし、凹凸模様のデザインによっては、１回のレーザ照射のために取り扱う加工データの量が膨大になり、１回の処理に時間がかかるため、切欠き模様のデザインや要求される単位時間当たりの処理量に応じて、上記第１の製法と、この第２の製法とを使い分けることが望ましい。
【００２５】
そして、それらの製法のなかでも、特に、上記凹凸模様が形成された成形体の周面に、金属薄膜層を形成する工程と、上記金属薄膜層の一部を、上記凹凸模様の少なくとも一部と重なる配置で部分的に除去することにより、切欠き模様を形成する工程とを備えたものは、凹凸模様と切欠き模様とが重なった、より印象深い模様の加飾成形体を、簡単に得ることができ、好適である。
【００２６】
また、そのなかでも、特に、上記切欠き模様を形成する工程において、上記金属薄膜層が形成された成形体を、その回転中心軸Ｐを中心として回転自在に支受し、上記金属薄膜層が形成された成形体の周面を、周方向に連続的もしくは所定角度ずつ断続的に回動させながら、成形体の周面における金属薄膜層の除去予定部にレーザ照射を行う際、成形体への凹凸模様形成時のレーザ照射データを利用して、切欠き模様を形成するようにしたものは、凹凸模様と切欠き模様が高い位置精度で重なるものを、簡単に得ることができ、より好適である。
【図面の簡単な説明】
【００２７】
【図１】本発明の一実施の形態である凹凸模様付加飾成形体を示す斜視図である。
【図２】上記実施の形態の蓋部側周面の展開図である。
【図３】（ａ）は上記実施の形態における凹凸模様の凸部に設けられた切欠き模様の説明図、（ｂ）はその形成方法の説明図である。
【図４】上記実施の形態における凹凸模様の凹部に設けられた切欠き模様の説明図である。
【図５】上記実施の形態の、凹凸模様のみが付与された成形体を示す斜視図である。
【図６】上記実施の形態の凹凸模様の形成に用いられる装置の説明図である。
【図７】(ａ)は上記凹凸模様の形成方法の一例を示す模式的な説明図、(ｂ)は上記凹凸模様の形成方法の他の例を示す模式的な説明図である。
【図８】本発明の他の実施の形態の説明図である。
【図９】（ａ）、（ｂ）は、ともに従来の凹凸模様における問題点の説明図である。
【発明を実施するための形態】
【００２８】
つぎに、本発明を実施するための形態について説明する。ただし、本発明は、以下の実施の形態に限定されるものではない。
【００２９】
図１は、本発明をマスカラ容器の蓋部に適用した一実施の形態を示している。このマスカラ容器は、マスカラ液を収容する有底筒状の本体部１と、この本体部１の上端部に着脱自在に嵌合する有天筒状の蓋部２とを備えており、上記本体部１の外周面が、下にいくほどやや縮径されている。なお、上記蓋部２の内側には、下向きに延びるマスカラ塗布具が嵌入固定されているが、上記マスカラ塗布具に特別な特徴はなく、その図示と説明を省略する。
【００３０】
上記マスカラ容器の本体部１と蓋部２は、ともに、赤色に着色された樹脂成形体［この例ではポリプロピレン樹脂（ＰＰ樹脂）］からなる成形体３の表面に、無色透明なアンダーコート層３０を介して、アルミニウムを蒸着してなる金属薄膜層４が形成され、全体として金属光沢色が付与されている［図３（ｂ）を参照］。
【００３１】
上記蓋部２について、詳細に説明する。まず、蓋部２の側周面（以下、単に「周面」という）２ａには、この面を展開して平面的に示す図２に示すように、下側に、花と花びらとを示す模様が、周囲から盛り上がってレリーフ状に形成されている（第１の凹凸模様Ｔ）。そして、花を示す部分には、斜線状のスリットからなる第１の切欠き模様Ｒが形成されている。また、上記第１の切欠き模様Ｒの上側には、周方向に連続して延びる、表面から凹んだ帯状領域が形成されている（第２の凹凸模様Ｕ）。そして、この帯状領域に、縦縞状のスリットからなる第２の切欠き模様Ｓが形成されている。
【００３２】
上記第１の切欠き模様Ｒは、図３（ａ）に示すように、花を示す凹凸模様Ｔに対し、その膨らみに陰影をつけるかのように、部分的に形成されている。切欠き模様Ｒは、斜線状のスリット、すなわち１本１本が線状の切欠き開口５によって構成されており、各切欠き開口５では、金属薄膜層４が除去されて、その下の、無色透明なアンダーコート層３０が露出し、その下の赤色に着色された成形体３の表面が透けて、赤い線としてみえている。
【００３３】
また、上記第２の切欠き模様Ｓは、図４に示すように、帯状の凹凸模様Ｕの凹部内に、過不足なく延びる線状の切欠き開口５によって構成されており、各切欠き開口５では、上記切欠き模様Ｒと同様、金属薄膜層４が除去されて、その下の、透明なアンダーコート層３０が露出し、その下の赤色に着色された成形体３の表面が透けて、赤い線としてみえている。
【００３４】
上記蓋部２は、例えばつぎのようにして得ることができる。すなわち、まず、樹脂材料として赤色に着色されたＰＰ樹脂を用い、図５に示すように、蓋部２の周面２ａとなる外周面に花や花びらを立体的に示すレリーフ調の凹凸模様Ｔおよび帯状の凹部からなる凹凸模様Ｕが形成された有底筒状の成形体３を準備する。
【００３５】
上記成形体３は、この成形体３より一回り大きな外周形状を有する有底筒状の凹凸加工用の予備成形体３'（図５において鎖線で示す）にレーザ照射を行い、その外周面を部分的に揮発除去して、凹凸模様Ｔ、Ｕを形成することによって得ることができる。なお、レーザ照射による予備成形体３’の外周面凹凸加工は、レーザ装置に予め加工する位置のデータを入力しておき、それに基づいてレーザ光を断続的に走査させることによって行われる。
【００３６】
上記レーザ照射は、例えば図６に示すような装置を用い、予備成形体３’を回転させながら行うことが好適である。より詳しく説明すると、この装置は、予備成形体３’を水平に支受するワーク支受部１１と、上記ワーク支受部１１に支受された予備成形体３’に回転動作を与えるモータ１２とを備えている。
【００３７】
上記ワーク支受部１１は、予備成形体３’の中空部と嵌合して予備成形体３’の開口側を支受する支持軸１１ａと、予備成形体３'の天面中心を押し付け保持する押さえ軸１１ｂとで構成されており、この両者によって、予備成形体３'が水平に支受されるようになっている。そして、上記支持軸１１ａの外周面と、予備成形体３'の開口部内周面には、互いに係合する周り止め部が設けられており（図示せず）、モータ１２からの回転がこの支持軸１１ａに伝達されると、予備成形体３’が支持軸１１ａと一体的に回転するようになっている。
【００３８】
また、上記ワーク支受部１１の上方には、レーザ装置の出力部１３が配置されており、矢印で示すように、ワーク支受部１１によって支受された予備成形体３’の表面に向かって垂直にレーザ光が照射されるようになっている。
【００３９】
そして、例えば図７（ａ）に示すように、予備成形体３’の表面を周方向に３分割し、まず、周面全体の１／３の領域に対し、真上からレーザ照射を行い、部分的に凹凸模様Ｔ、Ｕを形成する（図２でＸ１として示す部分の、金属薄膜層４が形成されていない状態）。つぎに、予備成形体３’を１２０°回転させて同様にレーザ照射を行い、図２でＸ２として示す部分（金属薄膜層４が形成されていない状態）の加工を行う。さらに、予備成形体３’を１２０°回転させて同様にレーザ照射を行い、図２にＸ３として示す部分（金属薄膜層４が形成されていない状態）の加工を行う。なお、Ｐは回転中心軸である［図７（ｂ）も同じ］。
【００４０】
このようにして、予備成形体３’の周面全体に加工を施して、周面に凹凸模様Ｔ、Ｕが形成された成形体３を得ることができる。その周面に形成された凹凸模様Ｔ、Ｕの凹部は、図７（ａ）に示すように、３分割された周面の部分が、それぞれ真上に配置された状態でレーザ照射を受けるため、その配置において、垂直下向きに形成される。
【００４１】
なお、予備成形体３’の表面にレーザ照射を行う際、上記のように、予備成形体３’の表面を周方向にｎ分割（上記の例では３分割）し、予備成形体３’を（３６０／ｎ）°ずつ回転させて、ｎ回のレーザ照射を断続的に行うと、１回のレーザ照射のために取り扱う加工データの量が、全周を一度に加工する場合の１／ｎとなり、短時間での断続処理となる。したがって、処理品の搬送等のタイミングを短くすることができ、生産効率を高めることができる。ただし、レーザ照射が断続的になるため、そのレーザ照射の開始点と終了点において、凹凸模様がずれないよう注意を要する。
【００４２】
そして、予備成形体３’（成形体３）の材質によっては、レーザ照射時に生じる乱反射光が、凹凸模様の凹部内の側面に当たって凹部形状を予定外の形状に変形させるおそれがある。そこで、レーザの種類、予備成形体３’の材質等を勘案して、１回のレーザ照射領域を広く設定しすぎないよう注意を要する。
【００４３】
このような観点から、レーザ照射をｎ回に分けて断続的に行う場合、通常、ｎは３以上に設定することが好ましく、より好ましくは４以上である。
【００４４】
また、予備成形体３’の表面にレーザ照射を行う際、上記のように、レーザ照射をｎ回に分けて断続的に行うのではなく、図７（ｂ）に示すように、予備成形体３’を回転しながらレーザ照射を行い、周面全体に対し連続的に凹凸模様を形成することもできる。このようにして得られた凹凸模様Ｔ、Ｕの凹部は、図示のように、全て回転中心軸Ｐに向かって形成される。
【００４５】
この方法によれば、上記のようにレーザ照射を断続的に行う場合とは異なり、加工が途切れた境界部における凹凸模様のずれを気にする必要がなく、周面のどの部分についても美麗な仕上がりとなる。ただし、凹凸模様Ｔ、Ｕのデザインによっては、１回のレーザ照射のために取り扱う加工データの量が膨大になり、１回の処理に時間がかかるため、凹凸模様のデザインや要求される単位時間当たりの処理量に応じて、上記のように、ｎ分割して断続的にレーザ照射を行うか、１回で全周の加工を連続的に行うかを使い分けることが望ましい。
【００４６】
つぎに、上記凹凸模様Ｔ、Ｕが形成された成形体３の天面と周面に、アンダーコート用の無色透明な樹脂組成物を用いてアンダーコート層３０を形成する。そして、上記アンダーコート層３０の表面にアルミニウムを蒸着して、金属薄膜層４を形成する。蒸着は、真空蒸着法、スパッタ法、イオンプレーティング等、適宜の蒸着方法を用いて行うことができる。
【００４７】
つぎに、上記金属薄膜層４の所定部分にレーザ照射を行い、図３（ｂ）に示すように、金属薄膜層４を部分的に揮発除去して、切欠き模様Ｒ、Ｓを形成する［図２、図３（ａ）を参照］。なお、レーザ照射による金属薄膜層４の除去加工も、上記成形体３を得るための凹凸加工と同様、レーザ装置に予め加工する位置のデータを入力しておき、それに基づいてレーザ光を断続的に走査させることによって行われる。したがって、レーザ照射によって凹凸模様Ｔ、Ｕを形成した際の加工データを、切欠き模様Ｒ、Ｓを形成するときの加工データに利用すれば、煩雑な調整を行うことなく、凹凸模様Ｔ、Ｕに対し、的確な配置で切欠き模様Ｒ、Ｓを形成することができ、好適である。
【００４８】
上記金属薄膜層４に対するレーザ照射も、予備成形体３’に対するレーザ照射の場合と同様、図６に示すような装置を用い、金属薄膜層４が形成された成形体３を回転させながら行うことが好適である。この場合も、金属薄膜層４が形成された成形体３に対するレーザ照射をｎ回に分けて断続的に行い、周面の１／ｎずつ切欠き模様を形成する方法と、金属薄膜層４が形成された成形体３を回転しながらレーザ照射を行い、周面全体に対し連続的に切欠き模様Ｒ、Ｓを形成する方法とを、適宜選択することができる。
【００４９】
なお、上記レーザ照射を断続的に行って切欠き模様Ｒ、Ｓを得る場合、その切欠き開口５は、図７（ａ）に示す凹凸模様Ｔ、Ｕの凹部と同様、ｎ分割された周面の部分が、それぞれ真上に配置された状態でレーザ照射を受けるため、その配置において、垂直下向きに形成される。
【００５０】
また、上記レーザ照射を連続的に行って切欠き模様Ｒ、Ｓを得る場合、その切欠き開口５は、図７（ｂ）に示す凹凸模様Ｔ、Ｕの凹部と同様、全て回転中心軸Ｐに向かって形成される。
【００５１】
このようにして得られた蓋部２は、全体が、金属薄膜層４によって金属光沢をしており、その周面２ａの一部が盛り上がって、花と花びらの模様がレリーフ状の凹凸模様Ｔが形成されている。また、周方向に凹部が延びる帯状の凹凸模様Ｕが形成されている。そして、上記凹凸模様Ｔと部分的に重なって、その凹凸を強調するかのように、赤い斜線状のスリットからなる切欠き模様Ｒが形成され、その凹凸が強調されている。また、上記凹凸模様Ｕと完全に重なる配置で、その凹部内に赤い縦縞状のスリットからなる切欠き模様Ｓが形成されているため、周方向に動きのある、統一感のあるデザインとなっている。
【００５２】
特に、上記凹凸模様Ｔ、Ｕの各凹部と、切欠き模様Ｒ、Ｓの各切欠き開口５が、いずれも成形体３の回転中心軸Ｐ（図５参照）に対し特定の向きで形成されているため、互いに重なり合う凹凸模様Ｔ、Ｕの凹部端面の角度と、金属薄膜層４の切り欠かれた開口端面が露出した開口面となす角度とが、ともに規則的で、しかも鮮明である。したがって、凹凸模様Ｔ、Ｕの凹凸が鮮明であるだけでなく、切欠き模様Ｒ、Ｓが、微細な斜線や縦縞によって構成されているにもかかわらず、どの部分も鮮明に表現されており、全体的に優れたアイキャッチ効果を発揮する。
【００５３】
そして、上記凹凸模様Ｔ、Ｕの凹凸が、抜き勾配の関係で鮮明に得られないようなデザインである場合、複雑な金型を用いることなく、簡単にデザイン通りの凹凸模様を得ることができるため、とりわけ好適である。しかも、上記の例のように、成形体３の表面に金属薄膜層４を形成し、この金属薄膜層４をレーザ照射によって除去加工して切欠き模様Ｒ、Ｓを形成する場合、凹凸模様Ｔ、Ｕを形成したときの加工データを、切欠き模様Ｒ、Ｓを形成するときの加工データに利用することができるため、煩雑な調整を行うことなく、凹凸模様Ｔ、Ｕに対し、的確な配置で切欠き模様Ｒ、Ｓを形成することができる。
【００５４】
さらに、上記の例では、上記切欠き模様Ｒ、Ｓによって、蓋部２の周面２ａが、滑らかな金属薄膜層４で完全に被覆されているのではなく、ところどころ、斜線状もしくは縦縞状のスリットによるざらつきが付与されているため、蓋部２を本体部１から外すときや、この蓋部２から延びる塗布具（図示せず）を利用してまつげにマスカラ液を塗布するときに、蓋部２が滑らず、使い勝手がよいという利点を有する。
【００５５】
なお、上記の例において、成形体３の材質は、ＰＰ樹脂に限るものではなく、成形可能な各種の合成樹脂を用いることができる。なかでも、上記ＰＰ樹脂の他、ポリエチレンテレフタレート（ＰＥＴ）樹脂、ポリブチレンテレフタレート（ＰＢＴ）樹脂、アクリロニトリル−ブタジエン−スチレン（ＡＢＳ）樹脂、アクリロニトリル−スチレン（ＡＳ）樹脂、ポリカーボネート（ＰＣ）、ポリスチレン（ＰＳ）等を用いることが、成形性、耐久性、軽量性の点で好ましい。そして、上記成形体３の色は、赤色に限らず、マスカラ容器全体のデザインに応じて選択され、透明、不透明を問わず、また有色、無色も問わない。
【００５６】
また、上記の例では、金属薄膜層４を、アルミニウムの蒸着によって形成したが、金属の種類は、アルミニウムに限らず、ステンレス等、他の金属材料からなる薄膜であってもよい。また、金属薄膜層４の上に、ホログラム形成層やパール調付与層、無色または有色のミドルコート層、無色または有色のトップコート層等をさらに形成したものであってもよい。これらの場合、より複雑な金属光沢色調を得ることでき、デザインの幅が広がる。あるいは、成形体３と金属薄膜層４の間に設けたアンダーコート層３０を着色してもよい。この場合、切欠き模様Ｒ、Ｓにおいては、着色されたアンダーコート層３０の表面が露出するため、成形体３の色ではなくアンダーコート層３０の色が、切欠き開口５［図３（ｂ）、図４を参照］からみえることとなる。また、成形体４とアンダーコート層３０の間に他の着色層や部分的な模様となる層が形成され、それらの層が、透明なアンダーコート層３０から透けてみえるようになっていてもよい。
【００５７】
さらに、本発明における凹凸模様は、必ずしも金属薄膜層４と組み合わせる必要はなく、凹凸模様がそのまま最表面に露出したものであっても差し支えない。すなわち、本発明では、成形体３に形成された凹凸模様の凹部が、いずれも周方向に統一性をもって、端正に形成されており、それ自体が充分に美麗な外観を有する。もちろん、凹凸模様の表面に金属薄膜層４を形成しない場合において、凹凸模様の表面に、着色層やトップコート層等の他の層を形成しても差し支えない。
【００５８】
そして、本発明において、凹凸模様を形成するために用いられるレーザとしては、樹脂に対し揮発除去作用を有するものであれば、特に限定されるものではなく、各種のレーザを用いることができる。例えば、ＣＯ2レーザ、エキシマレーザ、半導体レーザ等があげられ、なかでもＣＯ2レーザが、制御性、仕上がり性において好適である。
【００５９】
また、上記の例のように、凹凸模様Ｔ、Ｕの上に金属薄膜層４を形成し、この金属薄膜層４にレーザ照射を行って切欠き模様Ｒ、Ｓを形成する場合のレーザも、金属に対し揮発除去作用を有するものであれば、特に限定されるものではなく、各種のレーザを用いることができる。例えば、ＹＡＧレーザ、ＹＶＯ4レーザ、半導体レーザ等が好適に用いられる。
【００６０】
なお、上記の例は、全体が略円柱状のマスカラ容器の蓋部２に本発明を適用したが、本発明が対象とする成形体は、必ずしも回転中心軸Ｐを中心とする完全な回転体である必要はなく、例えば三角柱や四角柱のような多角柱であってもよい。また、円柱や角柱において、軸方向に緩やかな湾曲やテーパを有するものであっても差し支えない。
【００６１】
そして、上記マスカラ容器や口紅容器の蓋部や本体部のように、軸方向に長い周面を有するものの他、例えば図８に示すように、平面視四角状のコンパクト容器（もちろん平面視が円形や楕円形等のコンパクト容器であってもよい）において、その蓋部２０もしくは本体部２１の側面となる周面に、連続的もしくは断続的に凹凸模様Ｔ'を施す場合にも、本発明を適用することができる。とりわけ、凹凸模様Ｔ'の凹凸形状が、抜き勾配の関係で鮮明な凹凸とならない場合や、金型が複雑になって製作が困難な場合、上述のように、回転中心軸Ｐを中心として、図８において矢印で示すように回転させながらレーザ照射を行うことによって凹凸模様を得ることが好適である。
【００６２】
さらに、本発明は、マスカラ容器や口紅容器、コンパクト容器、といった化粧料容器への加飾だけでなく、周面への美麗な加飾が求められる、各種の樹脂成形品に広く適用可能である。例えば、携帯電話、文房具、家電製品、玩具、各種ケース等に応用することができる。
【産業上の利用可能性】
【００６３】
本発明は、美麗な凹凸模様が周面に連続的もしくは断続的に形成された、興趣に富む加飾成形体およびその製法に利用することができる。
【符号の説明】
【００６４】
２  蓋部
２ａ  周面
３  成形体
Ｔ、Ｕ  凹凸模様
【図１】
2018102775.tif 000003
【図２】
2018102775.tif 000004
【図３】
2018102775.tif 000005
【図４】
2018102775.tif 000006
【図５】
2018102775.tif 000007
【図６】
2018102775.tif 000008
【図７】
2018102775.tif 000009
【図８】
2018102775.tif 000010
【図９】
2018102775.tif 000011